(57)【特許請求の範囲】
【請求項１】
互いに重なり合う２つの部材を有しており、前記２つの部材のうち一方には雄型係合部を、他方には雌型係合部を設けており、両部材を重ね合わせると雄型係合部と雌型係合部とが係合して両部材を離反しないように保持する構成であって、
前記雄型係合部は、前記両係合部の嵌脱方向のうち一方方向に向いた位置決め突起と、嵌め合わせ方向のうち他方方向に向いた係合爪と、両係合部の境界部に位置した基部とを有していて略横向きＴ型の形態を成している一方、
前記雌型係合部は、前記雄型係合部の位置決め突起を前記嵌脱方向と直交した方向にずれ不能に保持する位置決め穴と、前記雄型係合部の係合爪が強制嵌入してこれを前記嵌入の方向と反対方向に後退動しない状態に保持する係合穴とを有している、
椅子。
【請求項２】
前記２つの部材のうち、一方は背もたれを構成する体圧受け部材であり、他方は、背もたれの強度メンバーとしての支持部材であり、前記体圧受け部材に雄型係合部を設けて支持部材には雌型係合部を設けている、
請求項１に記載した椅子。
【請求項３】
前記位置決め突起は下向きに向いて、係合爪は上向きに向いており、前記係合爪には側面視で横向きの爪部を形成している一方、
前記位置決め穴は上向きに開口しており、前記係合穴は側面視で横向きに開口している、
請求項２に記載した椅子。
【発明の詳細な説明】
【技術分野】
【０００１】
本願発明は椅子に関し、特に、２つの部材を簡単に連結できるように配慮された椅子に関するものである。端的には、椅子における部材同士の連結構造に特徴を有するものである。
【背景技術】
【０００２】
椅子において、部材同士の連結手段として、弾性変形する係合爪を使用することは広く行われている。その例として、本願出願の出願に係る特許文献１には、背板をその後ろに配置されたバックサポートに取り付ける方法として、両者に複数対の係合部を設け、係合部を、背板を前向き離反不能に保持するためのものと、背板を上向き動不能に保持するためのものとに、機能によって分けることが開示されている。
【０００３】
また、特許文献１では背板は上部に分割されており、上下の背板を連結する方法としても、機能が相違する複数の係合部の対を設けている。背板をバックサポートに取り付ける場合は、大まかには、背板をバックサポートに重ねてから下方にずらすことが各係合部を係合させており、上向き抜け防止は、弾性変形する係合爪に役割を担わせている。上段の背板を下段の背板に取り付ける場合は、単に上から重ね合わせることになるが、この場合も、上段の背板の抜け防止の役割は係合爪で行っている。
【先行技術文献】
【特許文献】
【０００４】
【特許文献１】特開２０１２−１３５４９３号公報
【発明の概要】
【発明が解決しようとする課題】
【０００５】
特許文献１のように、複数の係合部の対に異なる役割を担わせると、各係合部に強い荷重がかかることを防止できるため、耐久性に優れている等の利点がある。従って、大きな荷重・負荷がかかる部材の連結としては合理的である。
【０００６】
他方、あまり大きな荷重がかからない部材の連結の場合は、１つの係合部に複数の機能を担わせることは可能である。また、スペース的な問題で、１つの係合部に複数の機能を担わせる必要がある場合もあり得る。更に、複数の係合部を、単機能のものと複数機能のものとに使い分けることで全体の構造を簡素化可能な場合もある。
【０００７】
本願発明は、このような現状に基づいて成されたものである。
【課題を解決するための手段】
【０００８】
本願発明は、互いに重なり合う２つの部材を有している椅子に関し、前記２つの部材のうち一方には雄型係合部を、他方には雌型係合部を設けており、両部材を重ね合わせると雄型係合部と雌型係合部とが係合して両部材を離反しないように保持する、という基本構成である。
【０００９】
そして、請求項１の発明では、上記基本構成において、前記雄型係合部は、前記両係合部の嵌め合わせ方向のうち一方方向に向いた位置決め突起と、嵌め合わせ方向のうち他方方向に向いた係合爪と、両係合部の境界部に位置した基部とを有していて略横向きＴ型の形態を成している一方、前記雌型係合部は、前記雄型係合部の位置決め突起を前記嵌め合わせ方向と直交した方向にずれ不能に保持する位置決め穴と、前記雄型係合部の係合爪が強制嵌入してこれを前記嵌入の方向と反対方向に後退動しない状態に保持する係合穴とを有している。
【００１０】
なお、この構成における「嵌脱方向」とは、雄型係合部と雌型係合部とが相対動する方向を意味しており、雄型係合部と雌型係合部とが離脱可能であることを限定するものではない。すなわち、雄型係合部と雌型係合部とは、いったん嵌め合わせると離脱しない構成としてもよいし、係合爪を変形させる等して離脱させる構成であってもよい。
【００１１】
また、「嵌脱方向と直交した方向」は、例えば嵌脱方向が上下方向であると前後方向と左右方向とがあり得るが、少なくとも部材の離脱防止に必要な方向であればよい。従って、前後方向と左右方向とのうち片方だけである場合と、前後左右の両方向である場合とを含んでいる。
【００１２】
請求項２の発明は、請求項１を背もたれに適用している。すなわち、前記２つの部材のうち、一方は背もたれを構成する体圧受け部材であり、他方は、背もたれの強度メンバーとしての支持部材であり、前記体圧受け部材に雄型係合部を設けて支持部材には雌型係合部を設けている。
【００１３】
請求項２の好適な展開例の１つとして、請求項３では、前記位置決め突起は下向きに向いて、係合爪は上向きに向いており、前記係合爪には側面視で横向きの爪部を形成している一方、前記位置決め穴は上向きに開口しており、前記係合穴は側面視で横向きに開口している。
【００１４】
請求項２，３は背もたれに適用しているが、本願発明は、座を構成する部材の連結や、ヘッドレスト等のオプション品の連結など、椅子の各部位における部材同士の連結に適用できる。
【発明の効果】
【００１５】
２つの部材を重ねて連結する場合、両係合部の嵌め込み方向と反対方向への抜け防止と、嵌め込み方向と直交した横方向の移動阻止とが必要であるが、本願発明では、１種類の係合部によって２つの機能を有しているため、係合部の数を減らして構造を簡素化することが可能になる。また、スペースに余裕がなくて多くの係合部を形成しにくい場合にも有益である。
【００１６】
背もたれに適用した場合、背板やメッシュ保持枠のような体圧受け部材を強度メンバーとしての支持部材（周枠体やアウターシェルなど）に連結する場合、体圧受け部材を手前から後ろに重ねることで係合部を係合させる方法と、体圧受け部材を手前から重ねて下方にずらすことによって連結する手段とがあり、後者は、体圧受け部材を前向き離反不能の状態にしっかりと連結できる利点がある。
【００１７】
そして、請求項２は後者の連結手段に具体化したものであり、係合爪は上下方向に向いているため、背もたれの厚さは厚くすることなく、係合爪を十分に撓み変形する長さに設定できる利点がある。
【００１８】
また、請求項３の構成を採用すると、位置決め突起によって前後ずれ不能に保持された状態で係合爪を係合穴に嵌め込みできるため、連結作業が容易であると共に、雄型係合部の基部に応力が強く掛かることを防止して、耐久性にも優れている。
【図面の簡単な説明】
【００１９】
【図１】メッシュタイプにした椅子を前方から見た斜視図であり、（Ａ）は可撓性シートを表示したもの、（Ｂ）は可撓性シートを省略したものである。
【図２】実施形態に係る椅子を後方から見た斜視図であり、（Ａ）は可撓性シートを表示したもの、（Ｂ）は可撓性シートを省略したものである。
【図３】前方から見た背部の分離斜視図である。
【図４】後方から見た背部の分離斜視図である。
【図５】背枠とシート保持枠との分離斜視図である。
【図６】背枠とシート保持枠との分離斜視図である。
【図７】（Ａ）は背支柱と背枠との分離斜視図、（Ｂ）はシート保持枠の取り付け手順を示す斜視図である。
【図８】背枠とシート保持枠との分離斜視図である。
【図９】（Ａ）はアッパーシェルと背枠との分離斜視図、（Ｂ）は本願発明が適用された係合部の連結途中の状態を示す要部側断面図である。
【図１０】背部の中央部の縦断側面図である。
【図１１】本願発明が適用された係合部の個所の縦断側面図である。
【図１２】クッションタイプにした状態を示す図で、（Ａ）は外観の大部分を示す斜視図、（Ｂ）はクッションを省略した状態での斜視図、（Ｃ）は分離斜視図である。
【図１３】背もたれを後ろから見た斜視図であり、（Ａ）は背枠を表示したもの、（Ｂ）は背枠を省略したものである。
【発明を実施するための形態】
【００２０】
次に、本願発明の実施形態を図面に基づいて説明する。本願では、方向を特定するため左右・前後の文言を使用しているが、これは、椅子に普通に腰掛けた人を基準にしている。正面図は着座した人と対向した方向である。念のため、図１に方向を明示している。
【００２１】
本実施形態は、オフィスで多用されている回転椅子に適用している。また、本実施形態の椅子は、人が着座すると背もたれの前部が前進するタイプである。本実施形態では、本願発明を背もたれに適用している。図１〜１１では、背もたれをメッシュタイプとした状態を示し、図１２，１３では、背もたれをクッションタイプとした状態を示している。
【００２２】
(1).椅子の概略
まず、図１，２を参照して、椅子の概略を説明する。図１のとおり、椅子は、主要要素として、脚装置１、座２、背もたれ３を備えている。脚１は、ガスシリンダより成る脚支柱４と放射方向に延びる枝部５とを有しており、各枝部５の先端にはキャスタを設けている。脚支柱４の上端には、上向きに開口した略箱状のベース（図示せず）が固定されている。
【００２３】
図示していないが、ベースの前端部には、樹脂製やアルミダイキャスト製のフロントブロックがボルトで固定されており、フロントブロックには、左右一対のフロントリンクが回動可能に取り付けられている。フロントリンクは、人が着座していないニュートラル状態で、側面視で鉛直線に対して少し後傾しており、人が着座すると後傾する。
【００２４】
また、ベースには、図示しないが傾動体が左右長手の支軸によって後傾動自在に連結されており、傾動体１の後部に、リアブロック１４が固定されている。リアブロック１４の後部に背支柱１６が固定されており、背支柱１６の上端に背もたれ３の上端部が取り付けられている。背支柱１６は、左右２本の縦フレーム２６を有しており、左右縦フレーム２６の上端は連接部２７を介して一体に繋がっている。
【００２５】
図２のとおり、背もたれ４の下端部は、前後傾動自在な第２連動リンク３６の上端部に連結されている。そして、リアブロック１４には、左右一対のリアリンク（図示せず）がフロントリンクと平行な状態で連結されており、座２は、座アウターシェルを介してフロントリンク及びリアリンクに連結されており、人が着座すると、座フロントリンクとリアリンクを後傾させて座が下降動し、かつ、リアリンクの回動に連動する第１連動リンク（図示せず）を介して第２リンク３６が前傾動する。
【００２６】
従って、人が着座すると、背もたれ３は、その上端を中心にして屈曲することにより、下端部が前進する。これにより、人が浅く腰掛けても、人の腰部が背もたれ３によって支持される。人が深く腰掛けた場合は、既述した第１連動リンクが変形することにより、背もたれ３は動くことなく座２の下降動が許容される。座２の支持構造、背もたれ３の前進機構、ロッキング機構などは本願発明との直接の関連はないので、詳しい説明は省略する。
【００２７】
(2).背部の概要
次に、図３以下も参照して背もたれ３を説明する。例えば図３に示すように、背もたれ３は、前後に開口した背枠４１と、背枠４１の前面に重なった上下のシート保持枠４６，４７と、着座者の体圧を受ける可撓性シート４８とを有している。可撓性シート４８は、編地や織地のようなメッシュ状生地であり、横方向に強い弾性力が発揮されるように、強弾性糸を編み込んで（或いは織り込んで）いる。例えば図３，５から判るように、上下のシート保持枠４６，４７の突き合わせ面は、水平面に対して傾斜している。正確には、両者の突き合わせ面は、正面視において、左右外側が低くて内側が高くなるように傾斜している。
【００２８】
図３に部分的に示すように、可撓性シート４８の周囲には、樹脂テープ等からなる帯状の縁部材４９を縫着等で固定しており、縁部材４９は、シート保持枠４６，４７の裏面に装着（係止）されている。可撓性シート４８は、シート保持枠４６，４７の前から裏側に巻き込まれているので、シート保持枠４６，４７は可撓性シート４８によって全体が隠れているが、透けて見えることは有り得る。
【００２９】
また、シート保持枠４６，４７は、上シート保持枠４６と下シート保持枠４７とに分割されているが、可撓性シート４８は１枚である。上シート保持枠４６と下シート保持枠４７との上下高さの比率は、任意に設定できる。
【００３０】
背枠４１は、上下方向に長い左右のサイドフレーム５０と、左右サイドフレーム５０の上端に繋がったアッパーフレーム５１と、左右サイドフレーム５０の下端間に繋がったロアフレーム４２とで構成されており、全体的には、正面視で概ね四角形に成っている。他方、アッパーフレーム５１は、その全体がサイドフレーム５０の後ろに位置しており、側面視では、後ろ下向きに向かうように折り返された形態になっている。
【００３１】
他方、上シート保持枠４６は、背枠４１のサイドフレーム５０に手前から重なるサイドメンバー５２と、左右サイドフレーム５０の上端に一体に繋がったアッパーシェル５３とを有している。アッパーシェル５３は、左右サイドメンバー５２の上端間に延びる横長装架部５３ａと、横長装架部５３ａから後ろ下向きに曲がったカール部５３ｂとを有しており、カール部５３ｂが背枠４１のアッパーフレーム５１に固定されている。なお、アッパーシェル５３は、シェル状のアッパーメンバーと言い換えてもよい。
【００３２】
下シート保持枠４７の大部分は、背枠４１のロアフレーム４２に重なった水平状部４７ａで構成されており、水平状部４７ａの左右両端に、背枠４１のサイドフレーム５０の下部に重なる起立部４７ｂを一体に設けている。
【００３３】
本実施形態では、背枠４１のアッパーフレーム５１と上シート保持枠４６のカール部５３ｂとが一体に成っている。そこで、背枠４１のアッパーフレーム５１は、カール部５３ｂで後ろからも覆われている。図２に示すように、カール部５３ｂは、その全体が可撓性シート４８で覆われている。また、アッパーフレーム５１及びカール部５３ｂの手前は、左右全長にわたって空間が空いている。
【００３４】
(3).背枠
次に、背もたれ３の詳細を説明する。まず、背枠４１の構造と、背支柱１６への取り付け構造を説明する。例えば図３，７から理解できるように、背枠４１を構成するサイドフレーム５０とロアフレーム４２とは、前向きに開口した断面Ｖ形に成っている。従って、着座者の体圧によって容易に変形するものではない。サイドフレーム５０は、その下寄り部位が最も前になるように側面視で湾曲している。従って、可撓性シート４８にはランバーサポート部が形成されている。他方、ロアフレーム４２は、平面視で前向き凹状に緩く曲がっている。
【００３５】
図３から理解できるように、サイドフレーム５０は、基本的には前向き開口のＶ型であるが、上端部はコ字形の浅い溝状に成っている。他方、アッパーフレーム５１のうちサイドフレーム５０に連続した左右端部は、側面視でＵ形に曲がった平板状のヒンジ部５４に成っている。このヒンジ部５４が変形して背もたれ３の姿勢が変化することにより、背もたれ３は、着座によって下端が前進する。
【００３６】
背支柱１６の連接部２７は背面視で上向き凸に湾曲している一方、アッパーフレーム５１の左右中間部に、背支柱１６の連接部２７に上から嵌まるように下向きに開口したドーム部５５を形成している。例えば図２に示すように、カール部５３ｂにも、背支柱１６の連接部２７に対応した下向き開口溝５５′が形成されている。
【００３７】
また、アッパーフレーム５１のうちドーム部５５を挟んだ左右両端の部位は、左右外側に向けて高くなるように（ドーム部５５に向けて低くなるように）傾斜しており、アッパーフレーム５１を全体として見ると、背面視では、下向き凸に湾曲したナベ形状に成っている。これに対応して、カール部５３ｂも、背面視で下向き凸に湾曲したナベ形状に成っている。
【００３８】
例えば図４に示すように、左右背支柱１６の上端部に、左右外側に張り出した枝杆５６が一体に形成されている一方、アッパーフレーム５１のうちドーム部５５の左右両側の部分には、枝杆５６が嵌まる溝５７を形成している。このように、アッパーフレーム５１を枝杆５６に嵌め込むことにより、支持強度のアップとねじれ防止機能強化とが図られている。
【００３９】
図３において、枝杆５６にビス挿通穴５８が見えている。ビス挿通穴５８は、オプション品としてのヘッドレストを固定するためのものである。図３から理解できるように、支柱１６を構成する左右縦フレーム２６は、前向きに開口した平断面Ｖ形の溝状の形態に成っている。
【００４０】
(4).アッパーフレームへのアッパーシェルの連結構造
本実施形態では、背枠４１へのシート保持枠４６，４７の取り付けは、まず、上シート保持枠４６を背枠４１に取り付けてから、次いで、図７（Ｂ）に示すように、下シート保持枠４７を背枠４１に重ねる、という手順で取り付けられる。従って、上シート保持枠４６のカール部５３ｂが背枠４１のアッパーフレーム５１に嵌合することと、上シート保持枠４６のサイドメンバー５２が背枠４１のサイドフレーム５０に嵌合することとが、一連に行われる。尚、シート保持枠４６，４７には、後述の方法で予め可撓性シート４８が取り付けられている。
【００４１】
そして、例えば図８に示すように、カール部５３ｂとアッパーフレーム５１との嵌合手段としては、アッパーフレーム５１に、左右中間から外側に向かって、順に、第１雌型係合部６０，第２雌型係合部６１，第３雌型係合部６２が、左右一対ずつ上向きに開口するように形成されている一方、カール部５３ｂの前面には、各雌型係合部６０，６１，６２に対応して、第１〜第３の雄型係合部６３〜６５を設けている。本実施形態では、第２雌型係合部６１と第２雄型係合部６４とが、請求項に記載した係合部になっている。
【００４２】
この場合、第１雌型係合部６０は後ろと上とに開口した単純な係合穴の形状であり、第１雄型係合部６３は、単なる下向き突起である。従って、第１雌型係合部６０と第１雄型係合部６３とは、左右方向の位置決めを行っている。
【００４３】
第３雄型係合部６６は側面視Ｌ型の爪形状であり、第３雌型係合部６２は上向きに開口した係合穴である。従って、第３雄型係合部６６が第３雌型係合部６２に嵌まることにより、アッパーシェル５３（カール部５３ｂ）は、前後ずれ不能に保持される。また、第３雄型係合部６６と第３雌型係合部６２とは、左右方向の位置決め機能も備えている。
【００４４】
図９，１１に明示するように、第２雄型係合部６４は、下向きの位置決め突起６４ａと、上向きの係合爪８４ｂ、及び、両者に連結された基部６４ｃとを有しており、側面視で略横向きＴ型の形態を成している。基部６４ｃは、アッパーシェル５３の前面から手前に突出している。
【００４５】
アッパーシェル５３は、例えば図１１の状態で左右方向に相対動する金型を使用して成形されており、第２雄型係合部６４の型抜きのため、アッパーシェル５３のうち位置決め突起６４ａと係合爪６４ｂの後ろには、には、いわゆる抜き違い穴が開口している。係合爪６４ｂの上端には、前向きの爪部６４ｄを設けている。爪部６４ｄは、上に行くに従って手前に突出した略直角三角形状になっている。従って、前面には傾斜ガイド面６４ｅが形成されている。
【００４６】
第２雌型係合部６１は、位置決め突起６４ａが上から嵌まる上向き開口の位置決め穴６１ａと、係合爪６４ｂが後ろから嵌まり込む前後開口の係合穴６１ｂとを有している。係合穴６１ｂは前後に開口しているが、後ろのみに開口している態様でもよい。
【００４７】
位置決め穴６１ａの後ろは壁６１ｃになっており、壁６１ｃの後ろにアッパーシェル５３の下端部が位置している。そして、図９（Ｂ）から理解できるように、第２雄型係合部６４をアッパーフレーム５１に後ろから重ねた状態で、位置決め突起６４ａが位置決め穴６１ａに嵌まる前に、アッパーシェル５３の下端が壁６１ｃに後ろから重なるように、第２雄型係合部６４の上下高さを設定している。このため、第２雌型係合部６１への第２雄型係合部６４の嵌め込みは、アッパーシェル５３によってもガイドされている。
【００４８】
位置決め突起６４ａが位置決め穴６１ａに嵌まっている状態で、係合爪６１ｂは、傾斜ガイド面６１ｃのガイド作用によって、いったん後ろに逃げるように曲がり変形し、次いで、戻り変形して係合穴６１ｂに嵌まり込む。これにより、アッパーシェル５３は上向き抜け不能に保持される。
【００４９】
本実施形態では、位置決め突起６４ａと位置決め穴６１ａとによって、アッパーシェル５３の前後方向の動きと左右方向の動きとが規制されているため、高い位置決め機能・連結機能を発揮している。なお、本実施形態の場合は、左右方向の動きは他の係合部で規制されているので、少なくとも前後方向の動きを規制したらよいと云える。
【００５０】
そして、位置決め突起６４ａが位置決め穴６１ａに対して、前後方向と左右方向とにずれ不能に嵌まっているため、第２雄型係合部６４と第２雌型係合部６１とにより、アッパーシェル５３の前後方向及び左右方向の位置決めと、上抜き抜け防止機能とが発揮されている。
【００５１】
シート保持枠４６，４７を取り外すために第２雄型係合部６４と第２雌型係合部６１との係合を解除する場合は、係合穴６１ｂに手前からドライバー等の棒材を差し込んで、係合爪６４ｂ（特に、爪部６８ｄの傾斜ガイド面６８ｅ）を後ろに押して、アッパーシェル５３を上に押し上げたらよい。係合穴６１ｂが前後に開口していることは、係合解除を容易にするというメリットを有している（型抜きの容易性という側面もある。）。
【００５２】
(5).シート保持枠の連結構造
図５，６では、背枠４１は手前から見た状態に表示して、シート保持枠４６，４７は後ろから見た状態（１８０°程度反転させた状態）に表示している。これら図５，６から理解できるように、第１シート保持枠４６のサイドメンバー５２に、縦長の第１位置決め突起６７と下向き鉤爪６８との対を上下に３対後ろ向き突設している一方、背枠４１のサイドフレーム５０には、位置決め突起６７を左右から挟む左右一対の第１触れ止め突起６９と、下向き鉤爪６８が上から嵌まる平面視門型の第１爪キャッチ７０を上下に３段ずつ形成している。
【００５３】
下シート保持枠４７を背枠４１に取り付ける手段としては、まず、下シート保持枠４７における起立部４７の上端に上向き鉤爪７１を突設し、その下方に第２位置決め突起７２を形成し、更に、水平状部４７ａの左右両端に横向き鉤爪７３を設ける一方、背枠４１のサイドフレーム５０には、上向き鉤爪７１が下方から嵌まる第２爪キャッチ７４と、第２位置決め突起７２が手前から嵌まる第２触れ止め片７５とを形成し、更に、ロアフレーム４２には、横向き鉤爪７３が係合する側面視門型の第３爪キャッチ７６を設けている。
【００５４】
位置決め突起６７と下向き鉤爪６８、第１触れ止め突起６９、第１爪トャッチ７０、上向き鉤爪７１、第２位置決め突起７２、横向き鉤爪７３は、それぞれ請求項に記載した係合部の一環を成している。
【００５５】
(6).まとめ
背もたれ３の組み立てに際しては、まず、上シート保持枠４６を上から下に向けて移動させることにより、アッパーシェル５３をアッパーフレーム５１に装着するのと同時に、サイドメンバー５２をサイドフレーム５０に嵌め込み装着する。このとき、上シート保持枠４６のサイドメンバー５２とカール部５３ｂとにより、背枠４１の上部が前後から挟まれた状態に成っているため、上シート保持枠４６を、背枠４１に対してスムースに装着できる。
【００５６】
また、サイドメンバー５２とサイドフレーム５０との関係について述べると、サイドメンバー５２の下向き動により、第１位置決め片６７が第１触れ止め片６９の間に嵌まり込むと共に、下向き鉤爪６８が第１爪キャッチ７０に上から入り込む。これにより、サイドメンバー５２は左右方向と前後方向とにずれ不能に保持される。
【００５７】
そして、上シート保持枠４６を背枠４１に取り付けた状態で、図７（Ｂ）に示すようにして、まず、下シート保持枠４７の上向き鉤爪７１を、サイドフレーム５０の第２爪キャッチ７４に下方から嵌め込んで、左右の第２爪キャッチ７４を支点にした状態で、下シート保持枠４７を背枠４１に押し付けると、第２位置決め突起７２が第２触れ止め片６９の間に嵌まり込むと共に、横向き鉤爪７３が、その弾性に抗して変形することにより、第３爪キャッチ７６に係合する。
【００５８】
そして、上下のシート保持枠４６，４７は１枚の可撓性シート４８に取り付けられているため、下シート保持枠４７を背枠４１に装着すると、上下シート保持枠４６，４７は可撓性シート４８によって互いに近づくように引かれる。このため、上下シート保持枠４６，４７と上下動不能に保持される。図８に示すように、下シート保持枠４７は、背枠４１のロアフレーム４２にビス７７で固定されている。ビス７７は左右中間部に位置しており、第２連動リンク３６の上端部で隠れている。このため、美観を悪化させることなく、下シート保持枠４７をロアフレーム４２に固定できる。
【００５９】
図１０に示すように、アッパーフレーム５１の左右中間部（ドーム部５５の上端部）には、上向きに開口したナット保持溝７８を設けており、ナット保持溝７８に上からナット（図示せず）を嵌め込むことができる。そして、背支柱１６の上端には、蟻溝７８に連通するビス穴７９が空いている。下方からナットにビスをねじ込むことにより、ハンガー（図示せず）を取り付けることができる。
【００６０】
図３に表示している縁部材４９は、シート保持枠４６，４７に設けたボス８０（例えば図６参照）に掛け止めしている。そこで、縁部材４９には、ボス８０が嵌まる穴８１を飛び飛びで空けている。図８のとおり、ボス８０は、カール部５３ｂの外周縁の前面にも突設している。縁部材４９には、鉤爪６８，７１，７３と位置決め突起６７，７２との干渉を回避するための切り抜き穴が、飛び飛びで多数形成されている。
【００６１】
例えば図４に示すように、上シート保持枠４６のカール部５３ｂには、軽量化等のため、縦長のスリット８２の群が左右に並べて形成されている。また、横長装架部５３ａの左右両端とサイドメンバー５２との間には、前向きに開口した切り込み８３が形成されている。
【００６２】
(6).クッションタイプ仕様
図１２，１３に示すように、本願発明の背もたれ３はクッションタイプとすることも可能である。このクッションタイプでは、体圧受け体の例としての背板８５を使用している。アッパーシェル５３は、背板８５とは別部材になっているが、連結構造はメッシュタイプと同じである。
【００６３】
背板８５の左右両側部には、背枠４１のサイドフレーム５０に重なるサイドメンバー（サイド縁部）８６を設け、背板８５の上端には、アッパーシェル５３が取り付くアッパーメンバー（アッパー縁部）８７を設け、背板８５の下端には、背枠４１のロアフレーム４２に手前から重なるロアメンバー（ロア縁部）８８設けている。
【００６４】
背板８５のうちサイドメンバー８６とロアメンバー８８とで囲われた部分、背枠４１で囲われた空間に入り込んだ本体部９０になっている。従って、本体部９０は、サイドメンバー８６及びロアメンバー８８から後ろ向きに向けて段落ちしており、この段落ちした部分は、符号９０ａで示す壁になっている。従って、背板８５、概ね浅いトレー状の外観を呈している。
【００６５】
本体部９０に、クッション材９１が嵌まっており、クッション材９１は表皮材９２で覆われている。本体部９０の下部には、多数の横長スリット９３を形成した変形容易部になっている。図１２に示す符号８９は、表皮材９２を後ろ引き込むためのスリットである。また、符号９８は、クッション材を固定するためのボスである。
【００６６】
以上、本願発明の具体例を説明したが、本願発明は他にも様々に具体化できる。例えば、実施形態は背もたれに適用したが、座の構成部材の連結などにも適用できる。背もたれに適用する場合、着座によって下部が前進するタイプである必要がないことはいうまでもない。上記の実施形態の場合、図示の説明は省略するが、位置決め突起を上向きに突設して、係合爪を下向きに向けることも可能である。
【産業上の利用可能性】
【００６７】
本願発明は、椅子に具体化できる。従って、産業上利用できる。
【符号の説明】
【００６８】
１  脚装置
３  身体支持体の一例としての背もたれ
１６  背支柱
４１  周枠体の一例としての背枠
４２  ロアフレーム
４６  上シート保持枠
４７  下上シート保持枠
４８  可撓性シート
５０  サイドフレーム
５１  アッパーフレーム
５２  上シート保持枠のサイドメンバー
５３  アッパーシェル
６１  本願発明を適用した第２雌型係合部
６１ａ  位置決め穴
６１ｂ  係合穴
６４  本願発明を適用したに第２雄型係合部
６４ａ  位置決め突起
６４ｂ  係合爪
６４ｃ  基部
６４ｄ  爪部
６４ｅ  傾斜ガイド面
【図１】
0006608248.tif 000002
【図２】
0006608248.tif 000003
【図３】
0006608248.tif 000004
【図４】
0006608248.tif 000005
【図５】
0006608248.tif 000006
【図６】
0006608248.tif 000007
【図７】
0006608248.tif 000008
【図８】
0006608248.tif 000009
【図９】
0006608248.tif 000010
【図１０】
0006608248.tif 000011
【図１１】
0006608248.tif 000012
【図１２】
0006608248.tif 000013
【図１３】
0006608248.tif 000014